Podtech/llm-jp-corpus-v4-ja_patent huggingface dataset:
(57)【要約】      （修正有）【課題】歯ブラシの柄の先端部に固定された小型の円形の鏡で歯の裏まで磨きの成果を大きな顔面鏡と併用して映し自分の目で確認する事を提供する。【解決手段】歯ブラシの柄１の先端部に、口内と歯及び歯茎を良く見る事が出来る適当な大きさの円形の鏡２を取り付けた。【選択図】図１
0003121255.tif 000002
【実用新案登録請求の範囲】
【請求項１】
歯ブラシの柄の先端部に  口内と歯及び歯茎を良く見る事が出来る  適当な大きさの楕円形の鏡が取り付けてある  鏡付き歯ブラシ。    図  １．
（Ａ）
歯茎を良く見る事が出来る意味は、鏡付き歯ブラシの鏡と歯ブラシの柄が適当な角度を持っているので  鏡部を口内に入れた場合  対面の大きな鏡と併用して歯茎を良く見る事が出来るのです。
（Ｂ）
適当な大きさの楕円形の鏡とは、  鏡付き歯ブラシの鏡が容易に口内に入り歯と歯茎を充分に点検する事が出来る大きさのことを言います。
【考案の詳細な説明】
【技術分野】
【０００１】登録請求の如く歯ブラシの柄の先端に適当な大きさの鏡が適当な角度を持って取り付けてあるので  大きな顔面を見る鏡と併用して歯と歯茎を見ることが出来る。
【考案の開示】
【０００２】現在の歯ブラシは歯を磨くだけで磨いた結果を検査する事は出来ないが、鏡付き歯ブラシを使用することで歯磨きの前後の歯と歯の周囲を見る事が出来る。
【考案の効果】
【０００３】鏡付き歯ブラシは歯磨きの結果を見るだけでなく  常に歯茎の状態を点検して歯槽膿漏などの病気の予防をする事が出来る。
【０００４】歯痛みは  １本の虫歯であっても歯全体が痛いものであるが  鏡付きブラシを使用する事で今治水等の売薬を上手に使用することが出来る。
［衛生病気予防の利用可能性］
【０００５】歯磨きの前後に歯ブラシに固定した鏡で歯及び歯茎を見る事ができることは衛生病気予防の利用可能性多い。
【図面の簡単な説明】
【０００６】
【図１】鏡付き歯ブラシを横に寝かせた図  と  鏡部分を上に向けて置いた図です。鏡付きブラシの鏡は安全の為ガラス製でなくプラスチック系のものとします。鏡付きブラシの鏡部分は楕円形で角が無い構造と致します。鏡付きブラシの鏡は頑強に取り付けたものと致します。
【図１】
0003121255.tif 000003
【手続補正書】
【提出日】平成17年11月24日(2005.11.24)
【手続補正１】
【補正対象書類名】実用新案登録請求の範囲
【補正対象項目名】全文
【補正方法】変更
【補正の内容】
【実用新案登録請求の範囲】
【請求項１】
歯ブラシの柄の先端部に、口内と歯及び歯茎を良く見る事が出来る適当な大きさの円形の鏡が取り付けてあることを特徴とする、鏡付き歯ブラシ。
【手続補正２】
【補正対象書類名】明細書
【補正対象項目名】全文
【補正方法】変更
【補正の内容】
【考案の詳細な説明】
【技術分野】
【０００１】この考案は  歯磨きを施行する前後に自分の口内の歯及び歯茎を歯ブラシの柄の先端部に取り付けた円形の鏡で充分に点検する道具に関する。
【背景技術】
【０００２】現在の歯ブラシは  歯を磨くブラシには色々工夫がなされているが、考案の鏡付き歯ブラシは歯を磨く事ばかりではなく  其の動作の前後に歯磨きの成果を自分で顔面鏡と併用して容易に自分の口内又歯及び歯茎を点検する事が出来る小型の円形の鏡が歯ブラシの柄の先端部に歯及び歯茎を見易い角度をもって強固に固定されている。
【考案の開示】
【考案が解決しようとする課題】
【０００３】従来の歯ブラシは  ブラシの部分のみに技術が注がれており  歯及び歯茎を磨いた成果を確認する事は出来ないが、  この考案は歯ブラシの柄の先端部に固定された小型の円形の鏡で歯の裏まで磨きの成果を大きな顔面鏡と併用して映し自分の目で確認する事を提供するのを課題とする。
【課題を解決する為の手段】
【０００４】課題を解決する為の考案は  歯ブラシの柄の先端（ブラシの反対側）に適当な小型の円形の鏡が強固に取り付けたことを特徴とする物である、
【０００５】小型の鏡を口内に入れた場合歯及び歯茎の裏側も充分に対面の大きな鏡に容易に映し易い角度と、口内で自由に動かし易い円形と成っていることを特徴とする、鏡付き歯ブラシである。
【考案の効果】
【０００６】考案の  鏡付き歯ブラシで歯磨きは勿論可能であり其の成果を見るだけでなく、常に歯茎の状態を点検し歯槽膿漏又は出血の病気の予防に役立つ又歯の痛みは１本の虫歯痛みであっても附近全体が痛いものである、鏡付き歯ブラシの鏡を使用することで  局部へ薬などを自分で上手に使用し応急手当てにも役立ち、病気予防の利用可能性が多い。
【考案を実施する為の最良の形態】
【０００７】この考案の一実施形態を［図面］図１に示す、鏡付き歯ブラシの本体はプラスチック系のものである、鏡は口内で割れたり折れたりする事のないプラスチック系の物で歯ブラシの柄の先端へ使用し易い角度で強固に固定式とする。
【０００８】「実施形態の効果」この実施形態によれば鏡付き歯ブラシを使用して歯磨きの成果は無論点検する事が出来るが  過剰な歯磨きを止めて自分に合った歯磨きが出来る、鏡付き歯ブラシは構造が簡単である為水洗いが可能で常に衛生的保たれるだけでなく、鏡が歯ブラシと一対に成っている為  手近に使用することが可能である。
【図面の簡単な説明】
【０００９】
【図１】  考案の一実施形態を示す平面図と側面図。
【図２】  従来の歯ブラシの形を示す側面図。
【符号の説明】
【００１０】１、  歯磨きブラシの柄
２、  歯磨きブラシの柄の先端部に固定された円形の鏡。
【手続補正３】
【補正対象書類名】図面
【補正対象項目名】全図
【補正方法】変更
【補正の内容】
【図１】
0003121255.tif 000004
【図２】
0003121255.tif 000005
(57)【要約】      （修正有）【課題】  作品に落ち着いた雰囲気の高級感を与えて置物などとして好適に用いることができる折り紙を提供する。【解決手段】折り紙は、四角形の紙材１と同型の布材２とを接合一体化させて構成されている。このとき、前記紙材２としては、綿、絹、麻となどの天然繊維、又は、ポリエステル、ビニロン、ポリオレフィンなどの合成繊維製のものが用いられる。この布材２は、表面に模様が付されていてもよく、また、無地であってもよい。特に、好適には、かすり生地が用いられる。また、前記紙材１と布材２を接合させるにあたっては、小麦、コンスターチ、タピオカなどの糊、又は、酢酸ビニルなどの接着剤が用いられる。【選択図】図１
0003121435.tif 000002
【実用新案登録請求の範囲】
【請求項１】
紙材と布材とを接合一体化させてなる折り紙。
【請求項２】
請求項１において、前記布材はかすり生地である折り紙。
【請求項３】
請求項１において、前記紙材がレーヨン製であり、前記布材がかすり生地であり、接着剤によって接合されてなる折り紙。
【考案の詳細な説明】
【技術分野】
【０００１】
本考案は、折り紙細工に用いる折り紙に関するものである。
【背景技術】
【０００２】
従来、折り紙細工するときには、色や模様の付いた薄い紙片が用いられている。
【考案の開示】
【考案が解決しようとする課題】
【０００３】
しかし、従来の折り紙を用いて製作した作品は、単調で安っぽい感じを与える。
【０００４】
そこで、本考案は、作品に落ち着いた雰囲気の高級感を与えて置物などとして好適に用いることができる折り紙を提供することを目的とする。
【課題を解決するための手段】
【０００５】
上記目的を達成するために、本考案の折り紙は、紙材と布材を接合一体化させている。
【０００６】
以上の折り紙は、その布材が表面側となるように折って作品とする。この作品は、表面が布材であるため、落ち着いた雰囲気の高級感を与えて、置物などとして好適となる。
【０００７】
本考案の一実施形態では、前記布材としてかすり生地を用いる。このようにすれば、作品がより落ち着いた雰囲気のあるものとなる。
本考案の他の実施形態では、前記紙材がレーヨン製であり、前記布材がかすり生地であり、接着剤によって接合されてなる。このようにすることにより折り紙の製作が容易となり、変化に富むとともに製作を容易化した折り紙が得られる。
【考案の効果】
【０００８】
以上の本考案の折り紙によれば、作品に落ち着いた雰囲気の高級感を与えて置物などとして好適に用いることができる。
【考案を実施するための最良の形態】
【０００９】
以下、本考案にかかる折り紙を図面に基づいて説明する。図１は本考案にかかる折り紙の一実施形態を示す断面図である。この図の折り紙は、四角形の紙材１と同形の布材２とを接合一体化させて構成されている。このとき、前記紙材１としては、例えばレーヨン製の紙片が好適に用いられる。一方、前記布材２としては、綿、絹、麻となどの天然繊維、又は、ポリエステル、ビニロン、ポリエステル、ポリオレフィンなどの合成繊維製のものが用いられる。この布材２は、表面に模様が付されていてもよく、また、無地であってもよい。特に、好適には、かすり生地が用いられる。このかすり生地を用いれば、作品がより落ち着いた雰囲気の高級感があるものとなって、置物などとして好適となる。また、前記紙材1と布材２を接合させるにあたっては、小麦、コンスターチ、タピオカなどの糊、又は、酢酸ビニルなどの接着剤が用いられる。
【００１０】
以上の折り紙は、紙材と布材を合わせて圧着加工機を通過させ、圧着後にパンチングマシーンにより所定大きさにカットして得られる。
【図面の簡単な説明】
【００１１】
【図１】本考案にかかる折り紙の斜視図である。
【符号の説明】
【００１２】
１    紙材
２    布材
【図１】
0003121435.tif 000003
(57)【要約】【課題】  魚釣りなど海上で一時的に船を停めて魚釣りなどをするさい使用する簡便且つ安価な錘りを提供する。【解決手段】  直径が２５ｃｍ〜５０ｃｍ、メッシュの大きさを２ｍｍ２〜１００ｍｍ２となした網目籠を作成し、該網目籠内に重さ約０．５ｋｇ〜５ｋｇの錘りを収納し、釣りなどのさいに水深凡そ５ｍ〜１５ｍの深さ範囲で浮遊する中吊り状態で使用することを特徴とする。このさい、網目籠を脱着自在な２つ割りの構成になし、適宜異なる重さの錘りを出し入れ可能になしたり、プラスチック製となしたりする。【選択図】      図１
0003121471.tif 000002
【実用新案登録請求の範囲】
【請求項１】
直径が２５ｃｍ〜５０ｃｍ、メッシュの大きさを２ｍｍ２〜１００ｍｍ２となした網目籠を作成し、該網目籠内に重さ約０．５ｋｇ〜５ｋｇの錘りを収納し、釣りなどのさいに水深凡そ５ｍ〜１５ｍの深さ範囲で浮遊する中吊り状態で使用することを特徴としたプレジャーボートなどの海中漂流用網目籠。
【請求項２】
上記網目籠を脱着自在な２つ割りの構成になし、適宜異なる重さの錘りを出し入れ可能になしたことを特徴とする請求項１記載のプレジャーボートなどの海中漂流用網目籠。
【請求項３】
上記網目籠はプラスチック製となしたことを特徴とする請求項１又は２記載のプレジャーボートなどの海中漂流用網目籠。
【考案の詳細な説明】
【技術分野】
【０００１】
本考案は、プレジャーボートなどの海中漂流用網目籠に関する。
【背景技術】
【０００２】
従来、小型船やプレジャーボートなどに使用される錨は、所定の位置に停泊させるため海底深く沈める係留具であり、その簡易係留具として例えば特許文献１や特許文献２などのものがある。
【特許文献１】特開２００５−１０４４４３
【特許文献２】実開平７−８１９１号
【考案の開示】
【考案が解決しようとする課題】
【０００３】
上記係留具は重量があり、船内での持ち運びが容易ではなく、小型のプレジャーボートなどでは船内スペースが狭いため、置き場所に困るといったことがあった。
【０００４】
また、船体を海上で一時的に停止させる際も係留具を海底深く降ろすため、岩などへ根掛かりなどが発生し、移動時は瞬時に引き上げ作業ができなくなるなどの問題も多く生じていた。
【０００５】
本考案は上記問題点を解決せんとするもので、魚釣りなどの一時的な停止のさい、安価なコストで迅速且つ簡易に作業が行える係留具を市販に供するのである。
【課題を解決するための手段】
【０００６】
本考案は、直径が２５ｃｍ〜５０ｃｍ、メッシュの大きさを２ｍｍ２〜１００ｍｍ２となした網目籠を作成し、該網目籠内に重さ約０．５ｋｇ〜５ｋｇの錘りを収納し、釣りなどのさいに水深凡そ５ｍ〜１５ｍの深さ範囲で浮遊する中吊り状態で使用することを特徴とする。
【０００７】
このさい、網目籠を脱着自在な２つ割りの構成になし、適宜異なる重さの錘りを出し入れ可能になすのであり、このさい錘りは金属球や石塊、そして網目籠は専らプラスチック製となしたりするのである。
【考案の効果】
【０００８】
本考案で網目籠を使用し、且つそのメッシュを２ｍｍ２〜１００ｍｍ２の大きさにすることは、海中に於ける籠内容積の海水を含めて錘り効果を助長させることのできるものであり、籠内の錘り目方を実質的に小さいものとすることができる。而して、このことは海中では大きな錘り効果を発揮する一方、引上げるさいには網目籠のメッシュ内から海水が流出することから順次軽量化されて効率的な引上げ作業が行えるものとなる。
【０００９】
とりわけ、プレジャーボートを使用し海上の特定箇所で、具体的には停留しない状態で海流に抵抗しながら魚釣りなどを行わんとするさい、本考案品は海中の一定深さ範囲に降下させることにより、その好適な使用を可能にするのであり、即ち深さ５ｍ〜１５ｍの範囲に於ける海流抵抗を利用した好みの漂流状態で魚釣りを楽しむことができるものとなる。
【００１０】
本考案で請求項２記載の通り網目籠を２つ割りに構成したものでは、網目籠内の錘り目方を随時簡便に取換えることのできる上で優れる。また請求項３記載のものでは軽量で且つ錆びたりすることがなくて取扱い上優れたものとなる。
【考案を実施するための最良の形態】
【００１１】
本考案の実施の形態について、以下に図面でもって説明する。
図１は本考案に係る海中漂流用網目籠の斜視図である。ここで、１は網目籠の本体であり、該網目籠１はその直径Ｄが凡そ２５ｃｍ〜５０ｃｍの球体であって、且つ表面メッシュの大きさは２ｍｍ２〜１００ｍｍ２となされる。ここで、籠体の大きさはプレジャーボート用としての好適な使用を考えての設計であり、またメッシュの大きさ寸法は海流抵抗が効果的に得られるべく幾多の実験結果から設定した。
【００１２】
２は上記網目籠１内に収納される錘りであって、その重さは約０．５ｋｇ〜５ｋｇとなされる。これも使用するプレジャーボートの大きさ（５ｍ〜１０ｍなど）により適宜変更するのである。該錘り２は一般的には金属球であるが、石塊なども使用される。
【００１３】
図２は図１の分解構成図であり、本例では上縁に環帯ｐを有する半球状の網目籠１ａ，１ｂを環帯ｐ箇所で対合させ、且つ該部をボルトｍとナットｎを使用して脱着自在の構成となすのである。該脱着手段には他の任意な手段を採用することができる。なお、３は釣り環であって、ロープ４を縛り付けるためのものである。
【００１４】
図３は使用状態説明図であって、５はプレジャーボートである。本考案では本図に見られる通り海上の適当な箇所で船を停め、釣りなどを使用とするさいには、船の船首側からガイドローラ６を介して海中へ降下させるのである。このさい、プレジャーボート５には網目籠１の容積に相当する海水重量に加え網目籠１内に於ける錘り２の重さを負荷した錘り作用が働くのであり、今若し海面の比較的浅い箇所Ｌ１で上記降下箇所が固定されると、籠内の錘り２の目方は変わらないものの、籠内容積の海水重量が水深の深い箇所Ｌ２で固定される場合に比べて海流の影響が大となるのであり、更にこれにはメッシュの大きさとの関係を含めてボート５の漂流抵抗に大きな差異を生じさせしめるものとなる。水深が深くなるほど錘り効果が大になるのである。
【００１５】
上記した網目籠１を降下させて使用する範囲は任意に設定できるが、通常水深２ｍ〜３ｍの範囲は海流の影響を強く受けるので錘り効果が減殺される。従って、それ以下で使用するのであり、本考案品の好適使用の水深は凡そ５ｍ〜１５ｍとなされる。
【図面の簡単な説明】
【００１６】
【図１】本考案に係る海中漂流用網目籠の斜視図である。
【図２】本考案に係る図１の分解構成図である。
【図３】本考案に係る海中漂流用網目籠の使用状態説明図である。
【符号の説明】
【００１７】
１      網目籠
２      錘り
３      釣り環
４      ロープ
５      プレジャーボート
６      ガイドローラ
ｍ      ボルト
ｎ      ナット
【図１】
0003121471.tif 000003
【図２】
0003121471.tif 000004
【図３】
0003121471.tif 000005
(57)【要約】 【課題】  腕カバーを服飾の一部としてワンポイント装飾に位置づけ、実用的には簡単な方法で小物の簡易収納機能を付与することを課題とする。【解決手段】  内布外布の二重の伸縮性編織布で筒状の腕カバーを形成し、この筒状の腕カバーの両筒口部では内布と外布が連続していて内外布の間に閉鎖空間を形成し、外布にファスナー等を取り付けた開口部を設けてポケット口とし、ポケット口に対応して閉鎖空間を所要の広さに区切って縫製しポケットを形成する。【選択図】  図１
0003121409.tif 000002
【実用新案登録請求の範囲】
【請求項１】
内布外布の二重の伸縮性編織布で筒状の腕カバーを形成し、この筒状の腕カバーの両筒口部では内布と外布が連続していて内外布の間に閉鎖空間を形成し、外布に開閉手段を付した開口部を設けてポケット口とし、ポケット口に対応して前記閉鎖空間を所要の広さに区切ってポケットを形成したことを特徴とする腕カバー。
【請求項２】
ポケットが前腕の下半分に相応する部位にあり、ポケット口が腕カバーの周方向に開口し、開閉手段としてファスナーを用いた請求項１記載の腕カバー。
【考案の詳細な説明】
【技術分野】
【０００１】
手首部、ないし、上腕部から手首部にかけて装着する腕カバーに関し、服飾の一部としてワンポイント装飾に位置づけるとともに実用的には小物の簡易収納機能を有する腕カバーである。
【背景技術】
【０００２】
外出時には、硬貨やキー、乗車キップなどの小物を収容する場所が必要とされることが多い。上着やズボンのポケットがあるが、出し入れに便利な服の袖部にポケットを設ける提案がある（特許文献１）。その他に、収納部を設けて小物を入れたバンドを手首に巻いて携帯することが提案されている（例えば、特許文献２，３，４）。
【特許文献１】特開２００４−５２１９７号公報
【特許文献２】実開平６−２６５３４号公報
【特許文献３】特開平１０−３３２３７号公報
【特許文献４】特開２０００−１７００１６号公報
【考案の開示】
【考案が解決しようとする課題】
【０００３】
腕カバーを服飾の一部としてワンポイント装飾に位置づけ、実用的には簡単な方法で小物の簡易収納機能を付与することを課題とする。
【課題を解決するための手段】
【０００４】
本考案は、内布外布の二重の伸縮性編織布で筒状の腕カバーを形成し、この筒状の腕カバーの両筒口部では内布と外布が連続していて内外布の間に閉鎖空間を形成し、外布に開閉手段を付した開口部を設けてポケット口とし、ポケット口に対応して前記閉鎖空間を所要の広さに区切ってポケットを形成したことを特徴とする腕カバーである。また、前記腕カバーにおいて、ポケットが前腕の下半分に相応する部位にあり、ポケット口が腕カバーの周方向に開口し、開閉手段としてファスナーを用いた腕カバーである。
【考案の効果】
【０００５】
腕カバーを装着したときに伸縮性編織布が適度な圧力を腕に及ぼして腕カバーのずり落ちを防止し、また、装着、脱着を容易にする。二重の伸縮性編織布の間に閉鎖空間を形成することで、腕カバーにソフトな触感を与える。また、この閉鎖空間を区切る事によって簡易にポケットを設けることが出来て小物の収納が可能になる。腕カバーには、リストバンド程度の長さのものから上腕〜手首にかけての長さのものまであるが、ポケットを前腕の下半分に相応する部位に設けることによって収納物の出し入れが便利になる。ポケット口をファスナーで開閉するときには、つまみの動きに若干の抵抗があり、この抵抗によって伸縮性編織布が引っ張られるとファスナーの開閉がし難くなる。ポケット口の開口方向が、腕カバーの周方向の場合とそれに直角な方向（腕の長手方向）の場合を比較すると、ファスナーの開閉時に、後者では伸縮性編織布が引っ張られ易いのに対し、前者では伸縮性編織布の動きが無くファスナー開閉がスムーズに行われる。
【実施例】
【０００６】
伸縮性編織布には、メリヤス組織の編布が一般的で、横編みメリヤス、経編みメリヤスがある。織布では、伸縮性の糸を使用した織布がある。いずれにせよ、少なくとも周方向に伸縮性が発揮されるようにすることが必要である。以下、図面によって実施例を説明する。図面には、開口部の開閉手段や縫製部、縫い代などは図示しない。
【０００７】
図１は、本考案の腕カバーの構造を説明する縦断面模式図である。伸縮性編織布の内布１と外布２を二重筒状に形成し、二つの筒口部３，３において内布１と外布２が連続していて、内布１と外布２の間に閉鎖空間４が形成されている。内布と外布が連続している状態は、内布と外布が一枚の布として連続している場合もあるし、内布と外布が縫合などによって連続している場合もある。      
【０００８】
二重筒状の布を形成する一つの方法は、四角形の内布と外布を重ねて一つの対向する辺を縫合する方法である。この場合、二つの筒口部で内布と外布を縫合して連続させ、閉鎖空間を作る。他の方法は、四角形の一枚の布の一つの対向する辺を縫合して一重の筒状体にし、その一端を中表（なかおもて）に折り曲げて筒の軸方向に滑らせ、他端まで持ってくることにより二重筒状にする方法である。この場合、一つの筒口３１は内布１と外布２が一枚の布として連続しており、他の筒口３２では内布と外布を縫合して連続させる。図２は、筒状体を中表に折り曲げた状態を示す説明用の縦断面図である。
【０００９】
外布の一部に開口部５を設け、ポケット口とする。図１では開口部５が筒状腕カバーの周方向に開口している。他に、筒の軸方向に開口することもある。図３は、ポケットの形成を説明する腕カバーの外観図である。ポケット口に対応してポケットの側部６や底部７に相応する部分で内外布を縫合して閉鎖空間４から区切り、ポケット８を形成する。ポケット口には開閉手段を付ける。一般的な開閉手段はファスナーである。他には、ポケット口を覆うフラップを取り付け、面ファスナーで外布にくっつける手段などがある。ファスナーの開閉には若干の作動抵抗があるため、作動時に外布が引っ張られると開閉作業がし難くなる。ポケット口の方向は筒の周方向の方が軸方向よりもこの点で優れている。
【００１０】
腕カバーの長さは、前腕の１／２〜１／３程度のもの、ほぼ、前腕を覆う程度のもの、手首から上腕の一部までかかる長さのもの等があるが、収納する小物の出し入れの便宜性を考慮すると、いずれの場合でもポケットは手首に近い位置にあるのが良く、大体、前腕の下半分の部位に相当する位置に設ける。
【図面の簡単な説明】
【００１１】
【図１】本考案の腕カバーの構造を説明する縦断面模式図である。
【図２】筒状体を中表に折り曲げた状態を示す説明用の縦断面図である。
【図３】ポケットの形成を説明する腕カバーの外観図である。
【符号の説明】
【００１２】
１    内布
２    外布
３    筒口部
４    閉鎖空間
５    開口部
８    ポケット
【図１】
0003121409.tif 000003
【図２】
0003121409.tif 000004
【図３】
0003121409.tif 000005
(57)【要約】【課題】近頃、巨大な越前くらげが異常発生し、漁業の妨げになっている。その対策の一つは、定置網等の前に、くらげをこし取り、通常の魚は通過させるように網目サイズを調節したくらげ進入防止ネットを設置すること、あるいは、くらげ粉砕用ネットを船舶で曳航してくらげを駆除することである。このような特殊な網体を手間を掛けずに簡便に製造することができる手段を提供する。【解決手段】中央で十字形に交叉する２個の短いＵ字溝体からなる金具を、金属板を打ち抜いて一体に形成し、該金具内のＵ字溝交点上で網糸の縦糸と横糸とを交叉させ、Ｕ字溝内に網糸を把持させるべく溝壁をカシめることにより、網体（２）を製造することができる十字金具（１）である。【選択図】図１
0003121429.tif 000002
【実用新案登録請求の範囲】
【請求項１】
中央で十字形に交叉する２個の短いＵ字溝体からなる金具を、金属板を打ち抜いて一体に形成し、該金具内のＵ字溝交点上で網糸の縦糸と横糸とを交叉させ、Ｕ字溝内に網糸を把持させるべく溝壁をカシめることにより、網体を製造することができる十字金具。
【考案の詳細な説明】
【技術分野】
【０００１】
本考案は、漁網等の網体を簡便に製造することを可能にする金具に関する。
【背景技術】
【０００２】
近頃、巨大な越前くらげが異常発生し、漁業の妨げになっている。その対策は、定置網等の前に、くらげのみをこし取り、通常の魚は通過させるように網目サイズを調節した、くらげ進入防止ネットを設置すること、あるいは、くらげ粉砕用ネットを船舶で曳航してくらげを駆除することである。しかし、そのように網目の大きい特殊な漁網は既製品がなく、漁業者が自ら製造しなければならない場合も多い。
【０００３】
網体を作成するには長い網糸を結び合わせて結び目を作る作業が必要であり、この作業に多大の労力と時間を要する。
【０００４】
下記特許文献１は漁網の製造方法に関するものであるが、本考案の主題とは直接関係がない。
【特許文献１】特開平０９−２６２０４２号公報
【考案の開示】
【考案が解決しようとする課題】
【０００５】
本考案が解決しようとする課題は、くらげ進入防止ネットや、くらげ粉砕用ネット等の特殊網体、並びに通常の漁網を簡便に製造できる手段を提供することである。
【課題を解決するための手段】
【０００６】
上記の課題は、下記十字金具により解決することができる。すなわち、
中央で十字形に交叉する２個の短いＵ字溝体からなる金具を、金属板を打ち抜いて一体に形成し、該金具内のＵ字溝交点上で網糸の縦糸と横糸とを交叉させ、Ｕ字溝内に網糸を把持させるべく溝壁をカシめることにより、網体を製造することができる十字金具、である。
【考案の効果】
【０００７】
網糸の縦糸と横糸を交叉させ、その交叉点にこの十字金具を被せるように載せて、４方に伸びるＵ字溝体の溝壁をそれぞれカシめる（押し潰す）ことにより、Ｕ字溝内に網糸を固定して、網糸を結ぶことなく、簡便に網体を製造することができる。
【実施例】
【０００８】
図１は、本考案における一実施例を説明する概念図である。
【０００９】
本実施例で製造しようとする網体２は、例えばナイロンテグス製のくらげ進入防止用ネット、又はステンレスワイヤー製のくらげ粉砕用ネットであって、いずれも網目の一辺が４０〜５０センチメートルのものである。網目の一辺がもっと短い通常の漁網を製造することも勿論可能である。
【００１０】
一方、十字金具１は、長さ３０〜４０ｍｍ、内径２〜３ｍｍの２個のＵ字溝体が中央で十字形に交叉する形状を、肉厚０．８〜１ｍｍ程度のアルミニウム板を打ち抜いて一体に形成した金具であって、プレス機を用いて能率良く製造することができる。
【００１１】
上記十字金具１を用いて網体を製造するには、所定間隔で交叉させた縦糸と横糸の交叉点に上記十字金具を跨らせるように載せて、Ｕ字溝内に網糸を挟み込み、４方向に伸びるＵ字溝の溝壁をペンチ等の工具で押し潰して、網糸をＵ字溝に対して固定する。
【００１２】
このように、本考案に係る十字金具を用いることにより、縦糸、横糸を結び合わせて結び目を作る作業を省いて網体を簡便に製造することが可能になる。
【図面の簡単な説明】
【００１３】
【図１】本考案の一実施例を説明する概念図であって、十字金具と、これを用いて製造される網体を示す。
【図２】船舶で曳航されるくらげ粉砕駆除用ネットの例を示す概念図である。
【符号の説明】
【００１４】
１  十字金具
２  網体
【図１】
0003121429.tif 000003
【図２】
0003121429.tif 000004
(57)【要約】      （修正有）【課題】コストダウンに寄与しつつ、作業員の負担軽減と安全確保のために、電動リールを鉄塔に固定する運搬補助部材を提供する。【解決手段】作業部材等の運搬に使用する荷揚げロープを吊り上げるための電動リールを嵌合可能な形状とした金属板を鉄塔の部材に固着し，必要時に電動リールを持って昇塔することにより，作業部材等の運搬に使用する荷揚げロープを吊り上げることが可能となり，作業員の負担軽減と安全性が確保される。【選択図】図３
0003121427.tif 000002
【実用新案登録請求の範囲】
【請求項１】
鉄塔の部材に固着する金属板であって，作業部材等の運搬に使用する荷揚げロープを吊り上げるための電動リールを嵌合可能な形状としたことを特徴とする運搬補助部材。
【考案の詳細な説明】
【技術分野】
【０００１】
本考案は，送電線や無線アンテナ等を支持する鉄塔において，作業部材等の運搬に使用する荷揚げロープを吊り上げるための電動リールを鉄塔に固定する運搬補助部材に関する。
【背景技術】
【０００２】
従来は図１に示すように，鉄塔に昇降機用レールを常設し，作業時には原動機付の昇降機を用いて，作業部材等の運搬を行っていた（例えば特許文献１）。
【０００３】
【特許文献１】特開平８−１６９６６５
【考案の開示】
【考案が解決しようとする課題】
【０００４】
近年ではコストダウンの観点から，昇降機用のレールを設置しない鉄塔が主流となっているが，人力で作業部材を運搬することは，作業員の負担となっている。また，荷揚げロープを人力で塔上まで吊り上げる場合には，ロープが電線に接近して感電することを防止するために，塔体内で吊り上げる必要があるが，昇塔しながら荷揚げロープを塔体内に通す事は大変困難である。
【０００５】
そこで，本考案では，コストダウンに寄与しつつ，作業員の負担軽減と安全確保のために，電動リールを鉄塔に固定する運搬補助部材を提供する。
【課題を解決するための手段】
【０００６】
本考案は，鉄塔の部材に固着する金属板であって，作業部材等の運搬に使用する荷揚げロープを吊り上げるための電動リールを嵌合可能な形状とする。
【考案の効果】
【０００７】
本考案によれば，必要時に電動リールを持って昇塔することにより，作業部材等の運搬に使用する荷揚げロープを吊り上げることが可能となり，作業員の負担軽減と安全性が確保される。
【考案を実施するための最良の形態】
【０００８】
本考案の実施例を図３・図４で説明する。
まず作業員は電動リール４を持って昇塔する。鉄塔の上部に電動リール４を固定し，ライン５を垂らす。ライン５の一端に荷揚げロープ３を結合し，電動リール４でライン５を巻き上げることにより，荷揚げロープ３を吊り上げる（図３参照）。上部に到着した荷揚げロープ３を滑車６に通して地上に降ろし，一端にウインチ７を，他端に作業部材８を結合する（図４参照）。ウインチ７を駆動することにより，作業部材８が鉄塔上部へ運搬される。必要により荷揚げロープ３は，細いものから太いものに順次結合していく事も可能である。この荷揚げロープ３の配置は短時間で安全に行える。また，人力による作業部材等の運搬がなくなり，昇塔時の負担が一層軽減される。
【図面の簡単な説明】
【０００９】
【図１】従来の運搬方法を示す図である。
【図２】本考案の運搬補助部材を示す図である。
【図３】本考案の実施例を示す図である。
【図４】本考案の実施例を示す図である。
【符号の説明】
【００１０】
１…昇降機用レール，
２…昇降機
３…荷揚げロープ
４…電動リール
５…ライン
６…滑車
７…ウインチ
８…作業部材
【図１】
0003121427.tif 000003
【図２】
0003121427.tif 000004
【図３】
0003121427.tif 000005
【図４】
0003121427.tif 000006
(57)【要約】【課題】  種芋の分割作業の労力を軽減することができる種芋用分割器を提供する。【解決手段】  アングル材で矩形状に組まれた外枠本体１に、３個の円環状内枠体２を並列して、各々の外周を内接して取り付ける。そして、これら３個の円環状内枠体２内に、各々これに内接すると共に、放射状の任意等角に区画形成された切断刃３を設ける。ここでは、その放射角度θ１が１２０度、θ２が９０度、θ３が７２度の少なくとも３種の切断刃３を備える。すなわち、種芋（じゃがいも）５をこれらの切断刃３に下方に向けて押圧することで、三つ割、四つ割、五つ割等に分割できる。【選択図】  図１
0003121420.tif 000002
【実用新案登録請求の範囲】
【請求項１】
環状枠体に内接すると共に、放射状の任意等角に区画形成された切断刃を有することを特徴とする種芋用分割器。
【請求項２】
放射角度が１２０度、９０度、７２度の少なくとも３種の切断刃を有することを特徴とする請求項１記載の種芋用分割器。
【考案の詳細な説明】
【技術分野】
【０００１】
本考案は、種芋用のじゃがいもを適当な大きさに分割切断する際に使用される種芋用分割器に関するものである。
【背景技術】
【０００２】
従来、種芋用のじゃがいもを適当な大きさに分割切断する際は、包丁を使用して人手により行われていた。すなわち、種芋の大きさに応じて逐次作業者が判断し、三つ割、四つ割、五つ割等に切断していた。
【０００３】
一方、大型のコンニャ芋を適当な大きさに切断する装置（特許文献１参照。）や野菜類の芯を自動的に抜き取りカットする装置（特許文献２参照。）。また、包丁を使わずに、胡瓜、人参、セロリ等の野菜をスティック状に切断する野菜スティックカッター（特許文献３。）等が提案されている。
【０００４】
【特許文献１】特開平７−２３６４５０号公報
【特許文献２】実開平５−８０２９２号公報
【特許文献３】特開２００２−６６９８５号公報
【考案の開示】
【考案が解決しようとする課題】
【０００５】
しかしながら、種芋の分割は、未だに包丁を使用した手作業により行われているのが一般的であり、この作業は多大な労力を要するものであった。本考案は上記のような課題に鑑み、種芋の分割作業の労力を軽減することができる種芋用分割器を提供することを目的とする。
【課題を解決するための手段】
【０００６】
このため本考案の種芋用分割器は、環状枠体に内接すると共に、放射状の任意等角に区画形成された切断刃を有することを第１の特徴とする。また、放射角度が１２０度、９０度、７２度の少なくとも３種の切断刃を有することを第２の特徴とする。
【考案の効果】
【０００７】
（１）種芋を器具に押圧する作業だけで、迅速且つ正確に所望の割り数に種芋を分割することができる。
（２）種芋の大きさに応じて、三つ割、四つ割、五つ割等に容易に分割できる。
【考案を実施するための最良の形態】
【０００８】
以下、本考案の実施の形態を図面に示す実施例に基づいて説明する。
図１は本考案に係る種芋用分割器を示す斜視図、図２は種芋用分割器の平面図、図３は種芋用分割器の側面図、図４は種芋用分割器の使用状態を示す斜視図である。
【実施例】
【０００９】
図１乃至図３に示すように、本考案に係る種芋用分割器は、アングル材で矩形状に組まれた外枠本体１に、３個の円環状内枠体２が並列して、各々の外周が内接して取り付けられている。そして、これら３個の円環状内枠体２内には、各々これに内接すると共に、放射状の任意等角に区画形成された切断刃３を設ける。ここでは、その放射角度θ１が１２０度、θ２が９０度、θ３が７２度の少なくとも３種の切断刃３を備える。すなわち、人手により種芋（じゃがいも）５をこれらの切断刃３に下方に向けて押圧することで、三つ割、四つ割、五つ割等に分割できるようにされている。
【００１０】
外枠本体１の前後両端には、垂下した係止片１ａが設けられ、収納箱４の上縁に固定できるようにされている。また、切断刃３の上端は円環状枠体２の上縁よりも若干（距離ｄ）凹んで設けられており、切断刃３による作業者の怪我を防止するようにされている。
【００１１】
そして、図４に示すように、作業者は、種芋５の大きさに応じて、分割後の種芋片５ａが所望する大きさになるように分割数を決め、選択した任意の切断刃３に種芋を下方に押圧して切断する。切断された種芋片５ａは落下して収容箱４に収容される。
【００１２】
尚、本実施例では、円環状内枠体２内に放射状の切断刃を設けているが、内枠体２は円環状に限定されるものではなく、例えば楕円形や矩形の環状であってもよい。また、切断刃の放射角度及び枚数はとくに制限されない、すなわち、本器具により種芋の分割数が制限されるものではない。
【図面の簡単な説明】
【００１３】
【図１】本考案に係る種芋用分割器を示す斜視図である。
【図２】種芋用分割器の平面図である。
【図３】種芋用分割器の側面図である。
【図４】種芋用分割器の使用状態を示す斜視図である。
【符号の説明】
【００１４】
１    外枠本体
１ａ  係止片
２    環状内枠体
３    切断刃
４    収容箱
５    種芋（じゃがいも）
５ａ  種芋片
【図１】
0003121420.tif 000003
【図２】
0003121420.tif 000004
【図３】
0003121420.tif 000005
【図４】
0003121420.tif 000006
(57)【要約】【課題】芯材の厚みを薄くしても充分に湯温低下を抑制できる保温浴槽蓋を提供することを目的とする。【解決手段】発泡材からなるコア材２の表面層に、耐水紙面材３と表皮シート４を順次積層して蓋本体５とし、この蓋本体５の端部周囲を合成樹脂あるいはエラストマー製のエッジプロテクター６で包囲した保温浴槽蓋１であり、耐水紙面材３が紙材の表面に熱可塑性樹脂フィルムを積層したものである。【選択図】      図１
0003121416.tif 000002
【実用新案登録請求の範囲】
【請求項１】
発泡材からなるコア材の表面層に、耐水紙面材と表皮シートを順次積層して蓋本体とし、該蓋本体の端部周囲を合成樹脂あるいはエラストマー製のエッジプロテクターで包囲したことを特徴とする保温浴槽蓋。
【請求項２】
耐水紙面材が紙材の表面に熱可塑性樹脂フィルムを積層したものである請求項１記載の保温浴槽蓋。
【考案の詳細な説明】
【技術分野】
【０００１】
本考案は保温のため浴槽の上面に被せるもであって、厚みを薄くしても湯温低下を充分に抑制できる保温浴槽蓋に関する。
【背景技術】
【０００２】
従来の浴槽蓋には、巻き込みができるシャッター式のもの、折り畳み式のものが良く知られている。また、最近では芯材の表面に薄板を積層した蓋本体の周囲縁部にループ状に形成した合成樹脂製のエッジプロテクターを脱着可能にした浴槽蓋も提案されている。（特許文献１）
【特許文献１】特開平８−１０３３８９号公報
【考案の開示】
【考案が解決しようとする課題】
【０００３】
最近の浴槽蓋は、芯材として断熱機能を持たせた発泡硬質ウレタン製あるいは発泡ポリスチレン製の断熱材が使用されているが、湯温低下を抑制するためには、断熱材を２０〜３０ｍｍ程度に厚くする必要があった。このため、収納スペースを取ったり、ハンドリングに重かったり、またコスト高にもなっていた。
【０００４】
本考案はこのような問題を改善するものであり、厚みを薄くしても充分に湯温低下を抑制できる保温浴槽蓋を提供することを目的とする。
【課題を解決するための手段】
【０００５】
即ち、本願の請求項１記載の考案では、発泡材からなるコア材の表面層に、耐水紙面材と表皮シートを順次積層して蓋本体とし、該蓋本体の端部周囲を合成樹脂あるいはエラストマー製のエッジプロテクターで包囲した保温浴槽蓋にあり、耐水紙面材を用いることによりコア材の厚みを薄くすることができ、充分に湯温低下を抑制できる。
【０００６】
本願の請求項２記載の考案では、耐水紙面材が紙材の表面に熱可塑性樹脂フィルムを積層したものであり、紙材を使用することによって断熱効果が一段と増す。
【考案の効果】
【０００７】
本考案の保温浴槽蓋では、耐水紙面材を用いているために厚みを薄くすることができ、湯温低下を抑制できる優れた効果を有している。
【考案を実施するための最良の形態】
【０００８】
図１は本考案に係る保温浴槽蓋の断面図である。本考案の保温浴槽蓋１は発泡材からなるコア材２の表面層に、熱可塑性フィルムを積層した耐水紙面材３と表皮シート４を順次積層して蓋本体５とし、該蓋本体５の端部周囲を合成樹脂あるいはエラストマー製のエッジプロテクター６で包囲している。
【０００９】
上記コア材２は、例えば発泡硬質ウレタンや発泡スチレンからなる断熱性に優れたボードであり、厚さが１０〜１５ｍｍのものが使用される。
【００１０】
上記耐水紙面材３は、例えば紙材の表面にポリエチレン、ポリプロピレン、ポリアミド、ポリエチレンテレフタレート等の熱可塑性樹脂フィルムであり、厚さが２００〜５００μｍである。上記耐水紙面材３は、例えばポリエチレンコート耐水紙面材として知られている。面材が付くことで、断熱と防湿効果が向上する。紙は、空気層があるため断熱効果を向上させ、ポリエチレンコートは、防湿効果を発揮し、紙をサンドイッチした２層からなる。また表層側は、面材３の強度保持、裏面側がコア材２との接着強度確保になる。
【００１１】
上記表皮シート４としては、ポリエチレンテレフタレートフィルム、アクリルフィルム等が使用される。しかし、これに限定されるものではないが、高剛性、低線熱膨張性を有する樹脂シートであれはよい。
【００１２】
上記エッジプロテクター６は、蓋本体５の端部周囲を包囲するものであり、ポリエチレン、ポリアミド、ポリプロピレン、ポリウレタン、ゴムなどの合成樹脂あるいはエラストマーの型物からなり、脱着可能に蓋本体５に装着されている。
【００１３】
図２には、エッジプロテクター６の拡大図であり、外側フランジ部７ａと内側突起部の差込部７ｂとからなり、接着強度とシール性を持たせることにより外れ難く、また内部への透水を抑えることができる。また、外側フランジ部７ａと内側突起部の差込部７ｂの長さを調整することによりエッジプロテクター６のすべり抵抗を持たせることができる。
【図面の簡単な説明】
【００１４】
【図１】本考案に係る本考案に係る保温浴槽蓋の断面図である。
【図２】図１に示すエッジプロテクターの拡大図である。
【符号の説明】
【００１５】
１  保温浴槽蓋
２  コア材
３  耐水紙面材
４  表皮シート
５  蓋本体
６  エッジプロテクター
７ａ、７ｂ  差込部
【図１】
0003121416.tif 000003
【図２】
0003121416.tif 000004
(57)【要約】【課題】  建物外部にありながら、内部の家相を占うための家相盤を提供すること【解決手段】  方位盤と占い盤を着脱可能とし、その間に挟み込んだ住宅の図面によって、家相を判断できるような家相盤を考案し、この課題を解決する。【選択図】  図１
0003121447.tif 000002
【実用新案登録請求の範囲】
【請求項１】
各方位を記した透明アクリル板と、占う内容に応じてキーワードを記した各種の円盤を組み合わせた、着脱可能な家相盤
【考案の詳細な説明】
【技術分野】
【０００１】  本考案は、住宅における家相を、風水によって判断するための道具に関する。
【背景技術】
【０００２】  風水による従来の家相盤は、実際の住宅の内部で方位の測定を行い、東西南北を合わせた上で執り行っていた。
【考案の開示】
【考案が解決しようとする課題】
【０００３】  しかしながら、以上の技術によれば、建築途上の建物や内部に入れない住宅などで、家相を占うことは困難である。
そこで、この考案は、建物外部にありながら、内部の家相を占うための家相盤を提供することを課題とする。
【課題を解決するための手段】
【０００４】  以上の課題を解決するために、方位盤と占い盤を着脱可能とし、その間に挟み込んだ住宅の図面によって、その家相を判断できるような家相盤を考案した。
【考案の効果】
【０００５】  本考案の家相盤により、住居の平面図さえあれば、建物の外部にあっても家相が占え、建築途上の住宅や、引っ越し先での家具の配置を決定することが容易にできる。
【考案を実施するための最良の形態】
【０００６】  本考案の一実施形態を、図１〜３に示す。
図１はＡ４版の透明アクリル板で、住宅の図面を載せる土台とする。
図２は直径１５ｃｍ程の円形の透明アクリル板で、図面の上に載せる。
図３は直径１２ｃｍ程の円形の透明アクリル板で、図面の上に載せる。
これら３枚の板の中央部をピンで留め、左右に回して方位を合わせつつ使用する。
【図面の簡単な説明】
【０００７】
【図１】  本考案に係る方位盤で、各方位を記す。
【図２】  本考案に係る占い盤１で、各方位に最適な色、置物等を記す
【図３】  本考案に係る占い盤２で、各方位の象徴する運勢等を記す。
【図１】
0003121447.tif 000003
【図２】
0003121447.tif 000004
【図３】
0003121447.tif 000005
(57)【要約】【目的】  レシプロ型草刈機の往復刈刃装置において、構造が簡単で、しかも、偏心カムの加工を簡単にし、安価にできる往復刈刃装置を具現することを目的とする。【構成】  主軸２には回り止め形状を施した嵌合部２ａを設けて３ａ、３ｂの偏心カムを嵌合し、偏心カム３ａ、３ｂから往復動を得るために偏心カム３ａ、３ｂを包み込むように構成したコの字体の部分５ａ、５ｂを有する往復部材６ａ、６ｂにより往復動を刈刃に伝達するように構成した往復刈刃装置。【選択図】  図１
0003121445.tif 000002
【実用新案登録請求の範囲】
【請求項１】
レシプロ型草刈機の往復刈刃装置において、主軸２には回り止め形状を施した嵌合部２ａを設けて、３ａ、３ｂの偏心カムを嵌合し、偏心カム３ａ、３ｂから往復動を得るために偏心カム３ａ、３ｂを包み込むように構成したコの字体の部分５ａ、５ｂを有する往復部材６ａ、６ｂにより往復動を刈刃に伝達するように構成した往復刈刃装置。
【考案の詳細な説明】
【考案の詳細な説明】
【産業上の利用分野】
本考案は田んぼの畦や用水路等の雑草、芝の刈り込み、等に使用されるレシプロ型草刈機の往復刈刃装置に関する。
【背景技術】  従来、図５で示した通り、上下に重合させた一対の細長い刈刃体を互いに相対的に往復動させて雑草や芝生あるいは草木を切断する往復刈刃装置は周知であるが、この従来型の往復刈刃装置において、エンジンや電動モ−タ−によって駆動される主軸に連設のケ−ス内駆動部には、当該主軸２０に一体の上下２個の駆動偏心カム３０ａ、３０ｂが前後に１８０度ずれた形態で設けられ、この上下２個のそれぞれの駆動偏心カム３０ａ、３０ｂに嵌合した連接棒４０ａ、４０ｂにより刈刃体６０ａ、６０ｂが往復駆動されるように構成されていた。
【考案が解決しようとする課題】
連接棒で刈刃体を往復動させる従来の方法では、前側だけの片持ち支持構造になるため強度不足になる欠点があり、また、駆動偏心カムは主軸と一体的に構成しなければならない欠点があった。
【課題を解決するための手段】
本考案では、前記の課題を解決するために、図１で示した通り、動力伝達により回転駆動される主軸２に上側と下側に一部重合して前後方向には１８０度ずれた円盤状の偏心カム３ａ、３ｂを嵌合し、当該偏心カム３ａ、３ｂから往復動が得られるように構成されたコの字体の部分５ａ、５ｂを有する往復部材６ａ、６ｂを設け、伝動ケ−ス１の前後側において摺動可能に支持されるように構成した。
【実施例】  本考案の一実施例を図面に基ずき詳細に説明する。
図１及び図２で示した通り、１は伝動ケ−スで、エンジン又は電動モ−タ−の動力取り出し位置に取り付けられており、上下方向が薄型に形成され、その内部を中空状に構成し、その前側と後側に摺動作動受け部材７，８を設けている。
２は主軸で、エンジン又は電動モ−タ−の駆動軸に連繋され、回転駆動される軸である。
３ａ、３ｂは円盤状の偏心カムで、図３でも示した通り、主軸２には回り止め形状を施した嵌合部２ａを設け、３ａ、３ｂの円盤状の偏心カムを嵌合してある。
なお、３ａ、３ｂの円盤状の偏心カムは図４でも示した通り一体的に構成してもよい。
往復部材６ａ、６ｂは円盤状の偏心カム３ａ、３ｂから往復動が得られるように構成されたコの字体の部分５ａ、５ｂを有する部材に構成されている。
なお、６ａ、６ｂに設けた長穴４ａ、４ｂは、部材６ａ、６ｂが往復動をおこなうために必要な長穴である。
【考案の効果】
本考案によると、往復部材６ａ、６ｂは円盤状の偏心カム３ａ、３ｂから往復動が得られるように構成されたコの字体の部分５ａ、５ｂを有する部材に構成し、しかも円盤状の偏心カム３ａ、３ｂを包み込むように構成されている。
往復部材６ａ、６ｂは円盤状の偏心カム３ａ、３ｂを包み込むように構成してあるので、例えば、主軸２に施した回り止め形状の嵌合部２ａと嵌合する円盤状の偏心カム３ａ、３ｂとのはめあいが緩んで、円盤状の偏心カム３ａ、３ｂが軸心方向に倒れようとしても往復部材６ａ、６ｂのコの字体の部分５ａ、５ｂの内側面が支えるために、往復動を得るのには支障をきたさない効果がある。
【図面の簡単な説明】
【図１】要部の側断面図
【図２】第１図のＹ−Ｙ矢線における平面図
【図３】円盤状の偏心カムの平面図
【図４】円盤状の偏心カムの他の例図
【図５】従来型の側断面図
【符号の説明】
１    伝動ケ−ス
２    主軸
３ａ  円盤状の偏心カム
３ｂ  円盤状の偏心カム
６ａ  往復部材
６ｂ  往復部材
７    摺動作動受け部材
８    摺動作動受け部材
【図１】
0003121445.tif 000003
【図２】
0003121445.tif 000004
【図３】
0003121445.tif 000005
【図４】
0003121445.tif 000006
【図５】
0003121445.tif 000007
【手続補正書】
【提出日】平成17年12月20日(2005.12.20)
【手続補正１】
【補正対象書類名】実用新案登録請求の範囲
【補正対象項目名】全文
【補正方法】変更
【補正の内容】
【実用新案登録請求の範囲】
【請求項１】
レシプロ型草刈機の往復刈刃装置において、主軸２には回り止め形状を施した嵌合部２ａを設けて、偏心カム３ａ、３ｂを嵌合し、偏心カム３ａ、３ｂから往復動を得るために、偏心カム３ａ、３ｂを包み込むように構成したコの字体の部分５ａ、５ｂを有する往復部材６ａ、６ｂにより往復動を刈刃に伝達するように構成した往復刈刃装置。
(57)【要約】      （修正有）【課題】就寝時の布団からはみ出た肩や首を冷えから守るための着脱可能防寒襟元付き掛け布団カバーを提供する。【解決手段】掛け布団カバーに取り外し可能なファスナーの片側を取り付けておく。掛け布団の上側からもう一方のファスナー付きバスタオル状の布を付ける。掛け布団が身体の厚みによって身体に沿わずに宙に浮いた状態になって開いてしまいがちな襟元をもう１枚の大きなタオルを使うことによって身体と布団との隙間をなくし布団の温もりの逃がさず暖かく保つことが出来る上、首など冷やしがちな部位も温かく保つ事が可能になることにより、風邪引きなどの予防になる。【選択図】図２
0003121443.tif 000002
【実用新案登録請求の範囲】
【考案の詳細な説明】
【技術分野】本考案は就寝時に布団と身体の間に出来る隙間の改良に関する。
【背景技術】
【０００１】従来より、襟元を汚さない為の襟カバーはある。
襟カバーの改良に関する。
【考案の開示】
【０００２】温もりを逃がさないこと
【０００３】洗濯の安易度
【０００４】取替え易さ
【考案が解決しようとする課題】
【０００５】寒い季節に肩や首が冷えて布団の温もりを求める余りに就寝中、無意識に布団を引き上げてしまうことに注目。
【０００６】寒い季節に肩や首が冷えて布団の温もりを無意識に求める余りに、布団を引き上げてしまい、そのため布団が顔に近づきすぎて触れてしまうため襟元の汚れの原因にも繋がる。
【課題を解決するための手段】
【０００７】掛け布団カバーに取り外し可能なファスナーの片側を取り付けておく。
掛け布団の上側からもう一方のファスナー付きバスタオル状の布を付ける。
【考案の効果】
【０００８】大きいタオル状布を付けることによって生地自体に余裕を持たせ、寝返りしたときに出来る大きな隙間もカバーする。
【０００９】横向きになったときの肩の高さにも対応することが出来る。
【考案を実施するための最良の形態】
【００１０】大きさはあるが身体には負担のかからない程度の重量感のあるバスタオルをつける。【００１１】布団の上側から布を装着し、たらす状態にする。
【実施例】
【００１２】布団の上側から布を装着し、たらす状態にすることによって布団中の暖かい空気を逃さず、肩や首を冷気に触らすことがなく風邪引きの予防にも繋がる。【００１３】タオル状布自体を掛け布団の上側から取り付けることによって布団カバー自体の汚れも防ぐことが出来る。【００１４】布団カバー本体の裏側の身体の当たらない部分にボタンを付け、タオル側にもボタンホールを作っておけば、それらどうしをあわせれば従来の襟カバー同様に使う事が出来、季節を問うことなく使用することができる。【００１５】洗濯の安易度、衛生面においても優れている。【００１６】洗濯等のことを配慮しファスナーで装着し着脱を可能にする。【００１７】本考案の襟元カバーの不必要事に対応するため、従来の襟カバー同様に使えるようにファスナーの反対側の隅、身体には当たらない角のところにボタンをつけ広がらないようにする。
【産業上の利用可能性】
【００１８】最初は布団カバーとファスナー付バスタオルとのセットとして。【００１９】洗い換え、それにともなう洗濯回数を重ねる数の違いによるバスタオルの劣化等を考えファスナーをつけたバスタオルのみ。
または掛け布団カバーのみも。
【図面の簡単な説明】
【００２０】
【図１】  掛け布団カバーにファスナーを取り付ける部分を示した平面図である。ファスナーを付ける位置として首にあたる辺から２５センチから３０センチ辺りにする。ファスナー付のバスタオルを示した平面図である。
【図２】  掛け布団カバーにファスナー付バスタオルを装着させた平面図である。
【符号の説明】
【００２１】
【図１】
１ａ  掛け布団カバー本体
１ｂ  ファスナーの片側
１ｃ  大きいタオル
１ｄ  タオルに付けたファスナーの片側
１ｅ  カバー本体の裏面に付けたボタン
１ｆ  ボタンホール
【図１】
0003121443.tif 000003
【図２】
0003121443.tif 000004
【手続補正書】
【提出日】平成17年9月9日(2005.9.9)
【手続補正１】
【補正対象書類名】実用新案登録請求の範囲
【補正対象項目名】全文
【補正方法】変更
【補正の内容】
【実用新案登録請求の範囲】
【請求項１】
汚れ防止の布を取り付けた布団カバー。
【請求項２】
掛け布団カバーに取り外し可能なファスナー付バスタオル状の布を付けたカバー。
【請求項３】
布団の上側からたらす状態に取り付ける形状の汚れ防止付き布団カバー。
【手続補正書】
【提出日】平成18年1月6日(2006.1.6)
【手続補正１】
【補正対象書類名】実用新案登録請求の範囲
【補正対象項目名】全文
【補正方法】変更
【補正の内容】
【実用新案登録請求の範囲】
【請求項１】
汚れ防止の布を取り付けた布団カバー。
【請求項２】
掛け布団カバーに取り外し可能なファスナー付きバスタオル状の布を付けたカバー。
【請求項３】
布団の上側からたらす状態に取り付ける形状の請求項１または２記載の汚れ防止付き布団カバー。